(57)【要約】【課題】均一的に、且つ分散的にランプを支持できる液晶表示器のバックライト・モジュールを提供する。【解決手段】液晶表示器に応用されるバックライト・モジュールに関し、少なくとも１つの支持チャネル５１が穿設されている支持体５と、支持チャネル５１内に設けられると共に、分散的に該支持チャネル５１に支持された少なくとも１つのランプと、を備えてなる。【選択図】図３
0003108249.tif 000002
【実用新案登録請求の範囲】
【請求項１】
少なくとも１つの支持チャネルが穿設されている支持体と、
前記支持チャネルに設けられていると共に、分散的に該支持チャネル内に支持された少なくとも１つのランプと、
を備えてなる液晶表示器のバックライト・モジュール。
【請求項２】
前記支持体は中実体である請求項１に記載のバックライト・モジュール。
【請求項３】
前記支持体には更に反射器が付着されており、この反射器の向かいには散光器が付着されている、請求項１記載のバックライト・モジュール。
【請求項４】
前記支持体はケーシングであり、そして支持チャネルはパイプ・ダクトであり、
前記支持体と前記支持チャネルとの間には更に支持リブが設けられており、及び、
前記支持体内には、流体を貯蔵して熱対流用に供される収容空間が形成されている、
請求項１記載のバックライト・モジュール。
【請求項５】
少なくとも１つの支持溝が穿設されている支持体と、
前記支持溝内に設けられた少なくとも１つのランプと、
を備えてなる液晶表示器のバックライト・モジュール。
【請求項６】
前記支持体はケーシングであり、そして前記支持溝は開きパイプ・ダクトであり、及び、
前記支持体と前記開きパイプ・ダクトとの間には更に支持リブが設けられており、該支持体内には、流体を貯蔵して熱対流用に供される収容空間が形成されていると共に、該支持リブ上には更に流体の通過に供される通し孔が穿設されている、請求項５に記載のバックライト・モジュール。
【請求項７】
液晶表示素子を有するバックライト・モジュールであって、更に少なくとも１つの支持チャネルが穿設されている支持体と、前記支持チャネル内に設けられていると共に、分散的に該支持チャネル内に支持された少なくとも１つのランプと、を備えてなる液晶表示器のバックライト・モジュール。
【請求項８】
前記支持体は中実体であり、前記支持チャネルが該中実体に穿設されてなり、及び／又は、
前記支持体は中実体であり、そして前記支持チャネルはみぞ状を呈する、
請求項７に記載のバックライト・モジュール。
【請求項９】
前記支持体はケーシングであり、そして前記支持チャネルは湾曲したから状構造を呈し、及び、
前記液晶表示器素子と前記支持体との間には更に散光器が付着されており、この散光器の向かいには反射器が付着されている、
請求項７に記載のバックライト・モジュール。
【考案の詳細な説明】
【技術分野】
【０００１】
本考案はバックライト・モジュールに関し、特に、液晶表示器のバックライト・モジュールに関する。
【背景技術】
【０００２】
図１は従来の液晶表示器及びそのバックライト・モジュールの断面図である。図１において、ランプ１は液晶表示器１０のわきに設置され、反射ケーシング３のランプ容槽３０に被覆されている。また、反射ケーシング３と光導パイプ２とが互いに接合しているので、ランプ１より発した光線が光導パイプ２に進入し、該光導パイプ２内で拡散等の現象が発生する。したがって、光線が光導パイプ２の上下方で透過して、バックライト透過の効果を生ずる。図１に示された液晶表示器のバックライト・モジュールは通常エッジライト・モジュールと称され、ランプ１が液晶表示器１０のわきに位置しているので、表示器の厚さを薄くすることができる。しかしながら、その反面、そのランプ１が液晶表示器１０のわきに位置しているために、ランプ１からの位置が遠ければ遠い程受ける光量が益々少なくなるという欠点が存在している。この解決手段として液晶表示素子１００と光導パイプ２との間で反射ケーシング３に片寄る場所に拡散片を貼付けて遠近の場所の受ける光量が一致するようにバランスさせることが考えられるが、液晶表示器１０のサイズが増加すると、距離が遠すぎる所では、とにかく光量のバランスが取れない。このために表示器の両側のいずれにもランプ１を設置することが考えられるが、液晶表示器１０の中央部はやはり円満に光量を均一にさせることが出来ない。
【０００３】
そこで、最近図２に示すように液晶表示器のバックライト・モジュールに直下式のバックライト・モジュールを採用することにより、上記欠点の解消を試みている。これは、ランプ１を直接液晶表示素子（図１では液晶表示素子１００）の背後、すなわちバックライト・モジュールのエッジ・フレーム４により定義された範囲である表示領域４０に複数個設置する簡単な手段である。この手段によれば、ランプ１の直上の輝度はやはり比較的強く、ランプ１間の上方輝度は比較的弱いという問題が存在しているが、周知の拡散板で簡単に解決できる外、より重要なのは、液晶表示器１０が大型化しても、ランプ１と液晶表示素子１００との間の距離は必ずしも増加するとは限らず、同一のランプ１間隔と輝度下とにおいて、サイズが比較的大きい表示器には単純にランプを増加、又はランプの長さを長くとれば解決できることである。
【考案の開示】
【考案が解決しようとする課題】
【０００４】
しかしながら表示器のサイズを増加すると、ランプ１もそれにつれて長くなる。この場合、エッジ・フレーム４内に設けられたランプ１は、その両端がエッジ・フレーム４のみに支持されているので、ランプ１がそれ自体に比して細長くなり、剛性が低下して容易に湾曲する外、ランプ自体の材質がガラスであるので一旦長くすると横方向の外力に対する抵抗が弱くなる。また、このように、細長形ランプの剛性が極めて低く、かつ、ランプの両端のみがエッジ・フレーム４に固定されているので、一旦震動を受けると、ランプ１の中段部がそれ自体の質量により左右に震動し、それにより発生した往復応力がランプ１の材質の疲労を来すこととなり、ランプが極めて容易に破断されてしまうこととなる。
【０００５】
したがって、液晶表示器のバックライト・モジュールにおいては、ランプを妥当に支持するモジュール構造が切に要望されている。
【０００６】
本考案の目的は全体的に、均一的に、且つ分散的にランプを支持できる液晶表示器のバックライト・モジュールを提供することにある。
【課題を解決するための手段】
【０００７】
上記の目的を達成するために、本考案の観点による液晶表示器のバックライト・モジュールは、少なくとも１つの支持チャネルが穿設されている支持体と、前記支持チャネル内に設けられていると共に、分散的に該支持チャネル内に支持された少なくとも１つのランプとを備えてなる。（請求項１に対応）
上記本考案のバックライト・モジュールにおいて、前記支持体は中実体（ｓｏｌｉｄ  ｃｏｒｅ）である。（請求項２に対応）
また上記本考案のバックライト・モジュールにおいて、前記支持体には更に反射器が付着されており、この反射器の向かいには散光器が付着されている。（請求項３に対応）
また上記本考案のバックライト・モジュールにおいて、
前記支持体はケーシングであり、そして前記支持チャネルはパイプ・ダクトであり、
前記支持体と前記支持チャネルとの間には更に支持リブが設けられており、及び、
前記支持体内には、流体を貯蔵して熱対流用に供される収容空間が形成されている。（請求項４に対応）
更に上記目的を達成するために、本考案の別の観点による液晶表示器のバックライト・モジュールは、少なくとも一つの支持溝が穿設されている支持体と、前記支持溝内に設けられた少なくとも１つのランプと、を備えてなる。（請求項５に対応）
上記本考案のバックライト・モジュールにおいて、
前記支持体はケーシングであり、そして前記支持溝は開きパイプ・ダクトであり、及び、
前記支持体と開きパイプ・ダクトとの間には更に支持リブが設けられており、該支持体内には流体を貯蔵して熱対流用に供される収容空間が形成されていると共に、該支持リブ上には更に流体の通過に供される通し孔が穿設されている。（請求項６に対応）
本考案の更に別の観点による液晶表示器のバックライト・モジュールは液晶表示素子を含み、このバックライト・モジュールは更に、少なくとも１つの支持チャネルが穿設されている支持体と、前記支持チャネル内に設けられていると共に、分散的に該支持チャネル内に支持された少なくとも１つのランプと、を備えてなる。（請求項７に対応）
上記本考案のバックライト・モジュールにおいて、
前記支持体は中実体であり、前記支持チャネルは該中実体に穿設されてなり、及び／又は、
前記支持体は中実体であり、そして前記支持チャネルはみぞ状を呈する。（請求項８に対応）
また上記本考案のバックライト・モジュールにおいて、
前記支持体はケーシングであり、そして前記支持チャネルは湾曲したから状構造を呈し、及び、
前記液晶表示器と前記支持体との間には更に散光器が付着されており、この散光器の向かいには反射器が付着されている。（請求項９に対応）
【考案の効果】
【０００８】
本考案は液晶表示器に使用されるランプに対して効果的に支持できるバックライト・モジュールを提供して、全体的に、均一的に、分散的にランプの支持チャネルを支持し、従来のランプが両端のみに支持されているために、他の部位の支持力の不足を来たし、破断する欠点を解消するものである。
【考案を実施するための最良の形態】
【０００９】
以下、添付図面を参照しながら本考案の好適な実施の形態を説明する。図３は本考案による実施形態の立体見取図である。液晶表示器に用いられるバックライト・モジュール内のランプが均一に分散的に支持され、任意に湾曲しないために、本考案の一実施形態のバックライト・モジュールはその上に支持チャネル５１が穿設されている支持体５と、この支持チャネル５１内に設けられた少なくとも１つのランプ（図示せず）とを備えている。その内、支持チャネル５１は長トンネル状に形成されているので、内面がすべてランプと接触でき、ランプが均一に分散的に支持チャネル５１内に支持されることにより、ランプの自重による湾曲を回避でき、その上液晶表示器（図示せず）が外力を受けて震動しこの震動力がランプに伝わっても、ランプは支持チャネル５１の制限により湾曲を生ずることなく、破断の確率を大幅に低下させることができる。
【００１０】
図４は図３における実施形態３の側面図である。図４において、支持体５はさらに、反射器５０ａを付着するための第１の面５０と、散光器５２ａを付着するための第２の面５２とを備え、この反射器５０ａにより光線をできるだけ散光器５２ａの所在地に反射して該散光器５２ａにより光線を均一に透過させるようにする。これら反射器５０ａと散光器５２ａとは周知なものであるから、その詳細な説明を省略する。又、図４に示す支持体５は全透明又は半透明の中実体（ｓｏｌｉｄ  ｃｏｒｅ）であってもよく、この中実体の材質は図１に示す光導パイプ２と同じ材質、又は散光器５２ａと同じ材質で製造してもよい。
【００１１】
図５は本考案の別の実施形態の側面図である。この図５において、支持体６はケーシング構造であり、中空であるので中実体に比べてはるかに軽いという利点を有する。そして支持チャネル６１は連続的な長トンネル状パイプ・ダクトを呈しているので、内面がいずれもランプと接触し、パイプの支持用とすることができる。したがって、ランプは均一に分散的に支持チャネル６１内に支持され、任意に湾曲することなく、容易に破断することがない。
【００１２】
図６は図５における実施形態の局部立体図である。液晶表示器のサイズが増加すると、バックライト・モジュールもそれにつれて増加するので、パイプ・ダクトを呈する支持チャネル６１も自重で湾曲し、又は外力の震動により前後左右に振動するおそれがある。このようなトラブルを回避するために、支持体６と支持チャネル６１との間に支持リブ６３が設置されている。
【００１３】
また図６に示す支持体６も、図４に示すのと同じ様に、反射器（図４の素子５０ａ参照）が付着された第１の面６０と散光器（図４の素子５２ａ参照）が付着された第２の面６２とを備えている。当然、特殊な状況を除いて、反射器及び散光器の、支持体６上における位置を置き換えることができる。
【００１４】
長時間の使用において、ランプが発熱するのは至極当然なことである。図３に示す実施形態においては、ランプの熱は伝導方式でソリッド・コアの支持体５を透過して外界へ放熱される。これに対し、図５及び図６の実施形態においては、支持体６がケーシング構造、つまり中空の構造であり、内部に収容空間が形成されている。そうすると、熱伝導のルートは、ランプから支持チャネル６１に至り、さらに支持体６に伝えるルートである。この時、収容空間６４内の流体は一般に空気であるので、支持チャネル６１がランプに加熱された後、支持チャネル６１もチャネルと接触する空気を加熱し、空気に熱対流を発生させ、支持体６に熱を与えて放熱の効果を奏する。しかし、空気の密度が非常に低いことと、混合物であるために熱流束が不均一であることとにかんがみ、単一ガス、例えばヘリウム、窒素等のガスを収容空間６４に充填するか、又は支持体６内に強制対流装置（周知な先行技術であるので図示せず）を設置して対流効率を補強することにより放熱効果を上げるようにしてもよい。
【００１５】
さらに別の手段として、収容空間６４内に液体を充填し、液体の密度が空気よりも何倍も大きいことと、流動性を有することとを利用して大幅に熱対流の効果を増加させることもできる。また、強制対流装置を増設して対流効率を補強し、ひいては放熱効果を増進することもできる。
【００１６】
図７は本考案のさらに別の液晶表示器のバックライト・モジュールの実施形態である。図において、該バックライト・モジュールは少なくとも１つの支持溝７１か穿設された中実体の支持体７と、支持溝７１内に設置されたランプ１とを備えている。図３に示す支持体５の支持チャネル５１は、ソリッドの支持体５上に穴を空けた貫通孔であるので、支持体５の体積が増加すると、支持チャネル５１の貫通も比較的困難になり、チャネルの真直度及び丸みが保持しにくい外、ドリルも折断しやすい。これに対し、図７の支持体７はやはりソリッド構造であるが、支持体７の側面に支持溝７１を穿設して外界と相通ずるので、加工が十分簡単であり、直接モールディングするか又は機械で加工するかを問わず、いずれも十分簡単に達成でき、なんらの精密な加工機又は高度な加工技術を必要としない。
【００１７】
また、ランプ１は直接支持溝７１内に設置され、ランプ１のローリングを回避するために、接着テープでランプ１を支持溝７１内に接着し、又はさらに係止ブロックをランプ１にあてることができる。なお、支持体７はさらに、反射器を付着するための第１の面７０と、散光器を付着するための第２の面７２とを備えている。その内、散光器及び反射器の機能は前文で既に説明されているので、更なる説明を省略する。
【００１８】
図８は本考案のさらに又別な実施形態の側面断面図である。図において支持体８はケーシング構造であり、そして支持溝８１は開きパイプ・ダクトであり、換言すれば、図７の支持体７の構造を中空ケーシングに設計変更したものである。各支持溝８１の間、及び支持溝８１と支持体８との間には支持効果を向上させるための支持リブ８４が設置されている。そして支持体８内にも収容空間８３が形成され、流体、例えば空気、ヘリウム又は窒素などのガス、又は液体を収容して放熱用に供されている。また、支持溝８１が垂直に設置されていれば、流体の対流の不順を防止するために、支持リブ８４に更に通孔８４ａを穿設し、流体の通過に供することもできる。
【００１９】
なお、図８に示す支持体８はさらに、反射器（図４の素子５０ａ参照）を付着した第１の面８０と、散光器（図４の素子５２ａ参照）を付着した第２の面８２とを備えている。当然、特殊な状況を除いて、反射器及び散光器の、支持体８上における位置を置き換えることができる。
【００２０】
図９は本考案による実施形態の運用見取図である。図３及び図４の実施形態を例にとっているが、その他の実施形態にも運用されえることは言うまでもない。図において、支持体５上に穿設された支持チャネル５１内にはランプ１が設置されており、そして第１の面５０に反射器５０ａ、第２の面５２に散光板５２ａが貼付けられている。ランプ１から発した光線は直接散光板５２ａ上に照射する外、反射器５０ａの反射を介して散光板５２ａの位置に到達した後、さらに散光板５２ａ上に設置された、液晶表示器９を透過する。この時、ユーザは液晶表示器を透過したバックライトによりその上に表示された情報を知ることができる。
【図面の簡単な説明】
【００２１】
【図１】従来の液晶表示器及びそのバックライト・モジュールの断面図。
【図２】従来の別の液晶表示器及びそのバックライト・モジュールの正面見取図。
【図３】本考案による実施形態の立体見取図。
【図４】図３に示す実施形態の側面図。
【図５】本考案による別の実施形態の側面図。
【図６】図５に示す実施形態の局部立体図。
【図７】本考案による更に別の実施形態を示す図。
【図８】本考案による又別の実施形態の側面断面図。
【図９】本考案による実施形態の運用見取図。
【符号の説明】
【００２２】
１…ランプ、１０…液晶表示器、２…光導パイプ、３…反射ケーシング、４…エッジ・フレーム、５…支持体、３０…ランプ容槽、４０…表示領域、５０…第１の面、５０ａ…反射器、５２…第２の面、５２ａ…散光器、６…支持体、６０…第１の面、６１…支持チャネル、６２…第２の面、６３…支持リブ、６４…収容空間、７…支持体、７０…第１の面、７１…支持溝、７１ａ…係止ブロック、７２…第２の面、８０…第１の面、８１…支持溝、８２…第２の面、８３…収容空間、８４…支持リブ、８４ａ…通孔、９…液晶表示素子。
【図１】
0003108249.tif 000003
【図２】
0003108249.tif 000004
【図３】
0003108249.tif 000005
【図４】
0003108249.tif 000006
【図５】
0003108249.tif 000007
【図６】
0003108249.tif 000008
【図７】
0003108249.tif 000009
【図８】
0003108249.tif 000010
【図９】
0003108249.tif 000011